(57)【特許請求の範囲】
【請求項１】
上面に下方階のベランダの立上がり壁部の上端部と上方階のベランダの下面との間に設置されるサポート部材の下端部に係合可能な係止部を形成した横部材と、該横部材の一端部に設けられ、ベランダの立上がり壁部の側面に当接可能に構成されるとともに外面に適宜数のクランプを付設した長縦部材と、前記横部材の他端部に設けられ、前記長縦部材の長さ方向の中間位置に対応する前記立上がり壁の反対側面を締付可能な締付手段を付設した短縦部材とからなるベランダ用パイプ取付金具であって、前記長縦部材を角パイプから構成し、その上下の外面にクランプを回動自在に付設するとともに、それらのクランプと対向して前記長縦部材の内側面に形成したクランプ取付用の開孔部にキャップを付設し、該キャップにより前記長縦部材をベランダの立上がり壁部の表面より浮かせることによって、それらの各キャップの部分と前記短縦部材に付設された締付手段とにより前記立上がり壁部の側面を３点で締付ける構造にしたことを特徴とするベランダ用パイプ取付金具。
【請求項２】
前記横部材を伸縮調整可能に構成することにより前記長縦部材と短縦部材との間隔を調整可能にしたことを特徴とする請求項１記載のベランダ用パイプ取付金具。
【発明の詳細な説明】
【０００１】
【産業上の利用分野】
本発明は、建築現場においてＰＣベランダ等の立上がり壁部の開口部に防護用のパイプを設置する場合などに好適なベランダ用パイプ取付金具に関する。
【０００２】
【従来の技術】
従来、建築現場において、ＰＣベランダ等の立上がり壁部に形成された開口部を塞ぐために防護具を付設しようとした場合、ＰＣ板側に壁つなぎ用のアンカー等が備えられている場合はともかく、それが備えられていない場合には、適当な取付金具がないため、その作業性及び取付状態に問題が多く不便であった。
【０００３】
【発明が解決しようとする課題】
本発明は、このような事情に鑑みてなされたもので、その目的とするところは、ＰＣベランダ等のベランダ構成部材に付設される壁つなぎ用のアンカーなどに頼らずに、簡便に必要なパイプを取付けることが可能なベランダ用パイプ取付金具を提供することにある。
【０００４】
【課題を解決するための手段】
本発明は、上面に下方階のベランダの立上がり壁部の上端部と上方階のベランダの下面との間に設置されるサポート部材の下端部に係合可能な係止部を形成した横部材と、該横部材の一端部に設けられ、ベランダの立上がり壁部の側面に当接可能に構成されるとともに外面に適宜数のクランプを付設した長縦部材と、前記横部材の他端部に設けられ、前記長縦部材の長さ方向の中間位置に対応する前記立上がり壁の反対側面を締付可能な締付手段を付設した短縦部材とからベランダ用パイプ取付金具を構成し、かつ前記長縦部材を角パイプから構成し、その上下の外面にクランプを回動自在に付設するとともに、それらのクランプと対向して前記長縦部材の内側面に形成したクランプ取付用の開孔部にキャップを付設し、該キャップにより前記長縦部材をベランダの立上がり壁部の表面より浮かせることによって、それらの各キャップの部分と前記短縦部材に付設された締付手段とにより前記立上がり壁部の側面を３点で締付ける構造を採用したことを特徴とする。さらに、前記横部材を伸縮調整可能に構成することにより前記長縦部材と短縦部材との間隔を調整可能に構成することができる。
【０００５】
本発明によれば、建築現場において、ベランダの立上がり壁部に形成された開口部を塞ぐためなどからパイプを立上がり壁部に取付ける場合には、本パイプ取付金具を立上がり壁の上端部に締付固定し、その取付金具の長縦部材に付設されたクランプを介してパイプを簡便かつ強固に取付けることができる。その場合、特に前記締付手段による締付位置を長縦部材の長さ方向の中間位置に対応する位置としたので安定かつ確実な締付作用が得られる。また、上方階のベランダの下面と下方階のベランダの立上がり壁部の上端部との間にサポート部材を設置する場合には、そのサポート部材の下端部を前記横部材の上面に形成した係止部に係合することにより極めて容易に設置することができる。さらに、立上がり壁部の側面を３点で締付ける構造を採用したので更に安定した締付作用が得られる。また、横部材を伸縮調整可能に構成して前記長縦部材と短縦部材との間隔を調整可能に構成することにより立上がり壁部の厚さに対する適用範囲を拡大できる。
【０００６】
【実施例】
以下、図面を用いて本発明の実施例に関して説明する。図面は本発明の一実施例としてベランダの立上がり壁部に形成された開口部を塞ぐための防護用のパイプを取付ける場合の取付状態を示したものであり、図１は縦断面図、図２は正面図である。図中、１，２は適宜階数のＰＣベランダを例示したもので、３，４はその立上がり壁部である。５，６は立上がり壁部３，４の上端部の手摺り部分に固定したベランダ用パイプ取付金具である。このパイプ取付金具５，６は、図２に示すように、立上がり壁部３，４の途中に形成された開口部７ａ，７ｂの両側の上端部に固定され、後述のクランプを介して防護用のパイプ８ａ，８ｂが取付けられるように構成されている。また、それぞれの取付金具５，６の上面には、サポート部材９が設置され、端太角材１０を介して上方階のベランダの立上がり壁部４の底面を支持している。
【０００７】
図３〜図５は本発明の実施例に係るベランダ用パイプ取付金具の部分を拡大して示したものであり、図３はその取付け状態を示した拡大図、図４は平面図、図５は底面図である。図３に示すように、前記パイプ取付金具５，６は、上方に位置する横部材１１と、該横部材１１の一端部に溶接等により下方に向けて設けられ、ベランダの立上がり壁部３，４の側面に当接可能に構成された長い方の長縦部材１２と、前記横部材１１の他端部に溶接等により下方に向けて設けられ、前記長縦部材１２の長さ方向の略中央部に対応する前記立上がり壁部３，４の反対側面を締付可能な短い方の短縦部材１３とから構成される。なお、本実施例においては、前記横部材１１及び長縦部材１２は、立上がり壁部３，４の上端面あるいは立上がり壁部３，４の側面に対して安定して当接し得るように角パイプから形成し、短縦部材１３は丸パイプから形成している。そして、前記横部材１１の上面には、各階のベランダの立上がり壁部間に設置される前記サポート部材９の下端部が係合可能な逆Ｕ字状の係止部１４が形成されている。前記長縦部材１２の外面には、２個のクランプ１５，１６が回動自在に付設されている。前記短縦部材１３の下端部には、締付手段１７が設けられている。
【０００８】
なお、本実施例では、横部材１１に対して摺動可能に嵌入された挿入部１８の挿入量を調整してその長さを伸縮調整することにより、立上がり壁部３，４の厚さに応じて長縦部材１２と短縦部材１３との間隔を調整し得るように構成されている。図中、１９は調整用の止めピンで、前記挿入部１８の所定の数カ所に開孔された係合孔に挿通することにより段階的に位置決めを行う。また、前記長縦部材１２の外面に回動自在に付設されたクランプ１５，１６と対向してその長縦部材１２の内側面にクランプ取付用の開孔部を形成し、その開孔部に樹脂製のキャップ２０，２１を付設して、該キャップ２０，２１により前記長縦部材１２をベランダの立上がり壁部３，４の表面より若干浮かせることによって、それらの各キャップ２０，２１の当接部分と前記短縦部材１３に付設された締付手段１７の当接部２２とにより立上がり壁部３，４の側面を締付ける３点締付構造として構成されている。なお、本実施例の締付手段１７は、図４及び図５に示すように、短縦部材１３の内側に回転不能に支持されたナット２３と該ナット２３に螺合したＬ字状の締付ボルト２４から構成され、その締付ボルト２４の先端には樹脂製のキャップ等で被った前記当接部２２が形成されている。図中、２５は止めピン１９の端部に挿通されたリングで、このリング２５を介して鎖などにより短縦部材１１につないでおくと便利である。
【０００９】
なお、以上の実施例の説明においては、ベランダの立上がり壁部に形成された開口部を塞ぐため横方向のパイプを取付ける場合を説明したが、クランプを回動することにより縦方向や斜め方向のパイプを取付ける場合にも対応できる。また、締付手段による締付位置を長縦部材の長さ方向の略中央部に対応する位置に設定したが、その長縦部材の長さ方向の中間位置に対応する位置であれば変更が可能である。
【００１０】
【発明の効果】
本発明によれば、ベランダの立上がり壁部を利用することにより必要なパイプを簡便かつ強固に取付けることが可能である。その場合、前記締付手段による締付位置を長縦部材の長さ方向の中間位置に対応する位置としたので安定かつ確実な締付作用が得られる。しかも、前記キャップを介した３点締付構造を採用したので締付作用が更に安定する。また、前記横部材の上面に形成した係止部を利用することにより各階のベランダ間に設置するサポート部材の設置作業が極めて容易になる。さらに、横部材を伸縮調整可能に構成し、前記長縦部材と短縦部材との間隔を調整可能に構成することにより、立上がり壁部の厚さに対する適用範囲を拡大することができる。
【図面の簡単な説明】
【図１】  本発明の実施例を示した縦断面図である。
【図２】  同実施例の正面図である。
【図３】  同実施例の取付け状態を示した拡大図である。
【図４】  同実施例の平面図である。
【図５】  同実施例の底面図である。
【符号の説明】
１，２…ＰＣベランダ、３，４…立上がり壁部、５，６…パイプ取付金具、７ａ，７ｂ…開口部、８ａ，８ｂ…防護用のパイプ、９…サポート部材、１０…端太角材、１１…横部材、１２…長縦部材、１３…短縦部材、１４…係止部、１５，１６…クランプ、１７…締付手段、１８…挿入部、１９…止めピン、２０，２１…キャップ、２２…当接部、２３…ナット、２４…締付ボルト、２５…リング
【図１】
0003695656.tif 000002
【図２】
0003695656.tif 000003
【図３】
0003695656.tif 000004
【図４】
0003695656.tif 000005
【図５】
0003695656.tif 000006